(57)【特許請求の範囲】
【請求項１】
第１付勢手段により所定の方向に常に付勢力を受ける被ポップアップ体を所定の格納位置と所定のポップアップ位置との間で移動させるように設けられた被ポップアップ体の駆動機構において、
静止体に固定された第１回動軸が上端部の第１挿入穴に挿通されて、前記第１回動軸の回りに回動可能に取り付けられており、前記第１挿入穴を挟む一方に前記被ポップアップ体の突起状係合部に係合するフック部を備え、他方に第２付勢手段の一端の係止部を備え、かつ下端部が第２レバー上の第２回動軸の回りに回動可能に取り付けられた第１レバーと、
上端部の第２挿入穴に前記第１回動軸が前記第１レバーと共通に挿通されて、前記第１回動軸の回りに回動可能に取り付けられており、前記第１回動軸から下方のそれぞれ異なる方向上に形成された傾斜平面部と、前記第１回動軸に平行な前記第２回動軸と、先端側に球面体部を備えた棒状連結部とを有する第２レバーと、
前記一端を前記第１レバーの係止部に係止され、他端を前記静止体に係止されて、両端を拡げる方向に付勢された前記第２付勢手段と、
マグネットおよび電磁コイルの巻装された固定子を備え、前記固定子内に挿入された可動子の脚部が前記マグネットによる吸着位置と前記マグネットからの離脱位置との間を移動可能に設けられ、前記可動子の頭部に形成された連結穴に前記第２レバーの棒状連結部が先端の前記球面体部を挿着して傾動自在に連結されたマグネット付き電磁吸着装置と、から構成されており、
前記被ポップアップ体が、前記格納位置にある場合に、前記電磁コイルに通電しない時には、前記マグネットの磁気吸着力によって前記可動子の脚部が前記マグネットによる吸着位置にあり、前記第２付勢手段の付勢によって前記第１レバーが前記第１回動軸の回りに回動され、前記第１レバーのフック部が前記被ポップアップ体の突起状係合部に係合されて前記被ポップアップ体のポップアップを抑止し、
前記電磁コイルに通電する時には、前記マグネットの磁気吸着力に抗する反対方向の磁気力を生じることから、前記第１付勢手段の付勢力によって前記第１レバーおよび前記第２レバーを介し前記可動子の脚部が前記マグネットによる吸着位置から離脱され、前記第１レバーおよびその下端部と前記第２回動軸で連結されている前記第２レバーが前記第１回動軸の回りに回動されて、前記被ポップアップ体の突起状係合部に対する前記第１レバーのフック部の係合が解放されることにより、前記被ポップアップ体が前記格納位置から前記ポップアップ位置までポップアップされることを特徴とする被ポップアップ体の駆動機構。
【請求項２】
前記被ポップアップ体の前記ポップアップ位置から前記格納位置への格納が人手によって行われる
ことを特徴とする請求項１に記載の被ポップアップ体の駆動機構。
【請求項３】
前記第２レバーの傾斜平面部が前記第１レバーのフック部の下方となる位置に外側へ向かって下向きの傾斜面として形成されており、前記被ポップアップ体が前記格納位置となる時に、前記被ポップアップ体の突起状係合部が前記第２付勢手段によって付勢された前記第１レバーのフック部と前記第２レバーの傾斜平面部との間の奥ほど狭くなる間隙に挟持される
ことを特徴とする請求項１に記載の被ポップアップ体の駆動機構。
【請求項４】
人手によって前記被ポップアップ体が格納される時に、前記被ポップアップ体の突起状係合部が前記第２レバーの傾斜平面部に当接し押し下げて前記第２レバーを前記第１回動軸の回りに回動させ、それに伴い前記棒状連結部が前記マグネット付き電磁吸着装置の可動子の脚部を前記固定子内へ押し込み、前記マグネットに吸着させることによって前記被ポップアップ体を受け入れることができるように前記駆動機構の初期化が行われる
ことを特徴とする請求項１に記載の被ポップアップ体の駆動機構。
【請求項５】
前記第１レバーの第１挿入穴が円弧状長穴とされており、前記被ポップアップ体がポップアップの動作中またはポップアップの動作の終了後に、何らかの原因によって前記可動子の脚部が前記マグネットに吸着されて、前記第１レバーのフック部が既に前記被ポップアップ体の突起状係合部との係合位置となっている場合に、前記被ポップアップ体の格納に際し、前記被ポップアップ体の突起状係合部が前記第１レバーのフック部を押すことにより、前記第１レバーが、前記第１回動軸の挿通された前記円弧状長穴の範囲内で、前記第２レバー上の第２回動軸の回りに回動され、それに伴って回動される前記第２レバーの棒状連結部が前記可動子の脚部を前記マグネットによる吸着位置から離脱させることにより前記駆動機構の初期化が行われる
ことを特徴とする請求項１に記載の被ポップアップ体の駆動機構。
【請求項６】
前記被ポップアップ体が被写体を撮影する機器の閃光装置の発光部である
ことを特徴とする請求項１に記載の被ポップアップ体の駆動機構。
【請求項７】
計測された前記被写体の照度が所定値より小さい時に前記マグネット付き電磁吸着装置の電磁コイルへの通電が行われる
ことを特徴とする請求項６に記載の被ポップアップ体の駆動機構。
【請求項８】
前記請求項１から請求項７までの何れかに該当する被ポップアップ体の駆動機構を具備する
ことを特徴とする記録、再生装置。
【発明の詳細な説明】
【０００１】
【発明の属する技術分野】
本発明は、被ポップアップ体の駆動機構およびこれを具備する記録、再生装置に関するものであり、更に詳しくは、被ポップアップ体をポップアップ位置から格納位置へ戻す操作が円滑に行われる駆動機構、格納位置において被ポップアップ体に遊びを生じない駆動機構、およびそのような駆動機構を具備する記録、再生装置に関するものである。
【０００２】
【従来の技術】
従来、ビデオカメラ装置の発光部を備えたフラッシュ・ケースがボタン操作によってオートでポップアップするようにした方式のものがある。この種の駆動機構の一例として、フラッシュ・ケースをポップアップ位置に跳ね上げる付勢バネを有すると共に、モータにより移動可能とされた係止レバーを備え、この係止レバーによりフラッシュ・ケースを係止することで付勢バネによる付勢に抗してフラッシュ・ケースが格納位置に格納される。そして、係止レバーによる係止が解除されると、フラッシュ・ケースが付勢バネによってポップアップ位置に跳ね上げられるものである。しかし、このような駆動機構はモータの駆動力によって係止レバーを係止位置と解除位置との間を移動させるものであるから、駆動力の伝達に数段のギア列を必要とし、その分だけ大きいスペースを要することからビデオカメラ装置の小型化の妨げとなるほか、部品点数の増大はコストアップの要因となっていた。
【０００３】
これに対してモータやギア列を使用しない駆動機構の考案もある。この駆動機構においては、被ポップアップ体の格納位置での電磁石による保持機構の保持を解除して被ポップアップ体をポップアップさせた後には、電磁石による保持機構の初期化を行うことを必要とするが、その初期化は被ポップアップ体をポップアップ位置へ向けて付勢しているバネと、保持機構に取り付けられているバネとのバネ力の差によるものであり、バネ力のバラツキや、摩擦損によって初期化が十分に行えない場合が存在する。
【０００４】
（従来例）
上記のバネ力の差に依ることなく初期化を行ない得るものとして、被ポップアップ体のポップアップと駆動機構の初期化を分離して同時に行う駆動機構が考案されている。図１１はそのような従来例のデジタル式スチルカメラ１０の正面図であり、発光部６９を備えたフラッシュ・ケース６１が本体のポップアップ軸７２に取付けられており、図示を省略したバネによって実線で示す格納位置から矢印Ｐで示す反時計回りの方向に回動され、一点鎖線で示すポップアップ位置へ跳ね上げられた状態を示す。なお、同カメラ１０にはフラッシュ・ケース６１のほか前面にレンズＧ、上面に機能選択ノブＫ、シャッターボタン６４が配置されている。図１１において二点鎖線で示すフラッシュ・ケース６１の位置に付いては後述する。
【０００５】
また、図１２は同カメラ１０において、本体側のフラッシュ・ベース７１に取り付けられたフラッシュ・ケース６１と、その駆動機構８０を示す断面図であり、フラッシュ・ケース６１が一点鎖線で示す格納位置〜実線で示すポップアップ位置へ跳ね上げられた状態を示す。
【０００６】
図１２に示すように、フラッシュ・ケース６１の左端部に形成された軸穴６６にフラッシュ・ベース７１のポップアップ軸７２が挿通されており、かつフラッシュ・ケース６１のピン７８とフラッシュ・ベース７１のピン６８との間に引張コイルバネ６７が張設されているので、駆動機構８０のソレノイド１０１の電磁コイル１０６に電流が流され、可動子１０８が永久磁石１０３の吸着から解放されることにより、可動子１０８の連結穴１０９に係止軸８８が挿入されて連結された第１レバー８１のフック部８３と、フラッシュ・ケース６１の右端側の切欠き６２によって形成された突起状係合部６３との係合が外れてフラッシュ・ケース６１がポップアップ位置へ跳ね上げられる。
【０００７】
そして第１レバー８１は長孔８６内の回動軸７６の回りに回動可能とされ、第１レバー８１と対になっている第２レバー９１は軸穴９６内の回動軸７７の回りに回動可能とされ、かつ第１レバー８１と第２レバー９１とは引張コイルバネ９７によって連結されている。このとき、第２レバー９１の軸７７から引張コイルバネ９７の取付け箇所までの距離Ｑの方を第１レバー８１の軸７６から引張コイルバネ９７の取付け箇所までの距離Ｓよりも大とすることで、第２レバー９１は反時計回りの方向に回動されて、第２レバー９１の下端部９５が第１レバー８１の下端部８５を介してソレノイド１０１の可動子１０８を右方へ移動させる。
【０００８】
そのことによって可動子１０８の二股部１０８ａ、１０８ｂを固定子１０５の穴へ押し込みソレノイド１０１に取り付けの永久磁石１０３に吸着させることにより駆動機構８０はフラッシュ・ケース６１の格納に備えて初期化されるのである。駆動機構８０が初期化されていないと、ポップアップ位置にあるフラッシュ・ケース６１を元の格納位置へ戻す時に、フラッシュ・ケース６１の突起状係合部６３と第１レバー８１のフック部８３との係合が不能になるからである。
【０００９】
【発明が解決しようとする課題】
上記駆動機構８０の初期化は第１レバー８１と第２レバー９１の機構的な動作によって行うものであるが、第１レバー８１の長穴８６の故に第１レバー８１と第２レバー９１の位置関係がやや不安定なこともあり、外部衝撃、その他の原因によって、時として第１レバー８１による駆動機構８０の初期化が不能となり、フラッシュ・ケース６１を格納位置へ戻せない場合が発生するのである。
【００１０】
更には、図１１において、フラッシュ・ケース６１の二点鎖線で示す位置は、誇張して描いたものであるが、フラッシュ・ケース６１が下方へ完全に押し下げられた実線で示す位置から実際にはポップアップ軸７２を中心として反時計回りの方向に僅かに浮き上がった位置を示す。この浮き上がりは、ポップアップ軸７２から最も遠い部分でも１ｍｍ以下であるが、手指で押し下げることのできる遊びである。この遊びを生じている原因を調べたところ、図１３に拡大して示すがフラッシュ・ケース６１の突起状係合部６３に係合する第１レバー８１のフック部８３は、図１３のＡに示すように、突起状係合部６３の上面がフック部８３の下面より僅かの間隔ｈだけ低い位置とした状態において、すなわち、フラッシュ・ケース６１を下方へ若干オーバーストロークさせた状態において、反時計回りの方向へ付勢されている第１レバー８１のフック部８３が切欠き６２内へ入り込む。
【００１１】
そして人手が離れると、フラッシュ・ケース６１は反時計回りの方向へ付勢されていることから、突起状係合部６３は上記の間隔ｈだけ浮き上がって図１３のＢ  に示すように、突起状係合部６３とフック部８３との係合が完了する。すなわちフラッシュ・ケース６１のオーバーストロークが遊びの原因となっていた。従って、このフラッシュ・ケース６１の遊びは採用している駆動機構８０に基づくものであり、この機構８０に依る限り完全には防ぎ得ないものである。
【００１２】
本発明は上述の問題に鑑みてなされ、初期化トラブルを招かない被ポップアップ体の駆動機構、被ポップアップ体が格納位置において遊びを持たない被ポップアップ体の駆動機構、およびそのよう駆動機構を具備する記録、再生装置を提供することを課題とする。
【００１３】
【課題を解決するための手段】
上記の課題は請求項１の構成によって解決されるが、その解決手段を説明すれば、次の如くである。
【００１４】
請求項１の被ポップアップ体の駆動機構は、第１付勢手段により所定の方向に常に付勢力を受ける被ポップアップ体を所定の格納位置と所定のポップアップ位置との間で移動させるように設けられた被ポップアップ体の駆動機構において、静止体に固定された第１回動軸が上端部の第１挿入穴に挿通されて、第１回動軸の回りに回動可能に取り付けられており、第１挿入穴を挟む一方に被ポップアップ体の突起状係合部に係合するフック部を備え、他方に第２付勢手段の一端の係止部を備え、かつ下端部が第２レバー上の第２回動軸の回りに回動可能に取り付けられた第１レバーと、上端部の第２挿入穴に第１回動軸が第１レバーと共通に挿通されて、第１回動軸の回りに回動可能に取り付けられており、第１回動軸から下方のそれぞれ異なる方向上に形成された傾斜平面部と、第１回動軸に平行な第２回動軸と、先端側に球面体部を備えた棒状連結部と、を有する第２レバーと、一端を第１レバーの係止部に係止され、他端を静止体に係止されて、両端を拡げる方向に付勢された第２付勢手段と、マグネットおよび電磁コイルの巻装された固定子を備え、固定子内に挿入された可動子の脚部がマグネットによる吸着位置とマグネットからの離脱位置との間を移動可能に設けられ、可動子の頭部に形成された連結穴に第２レバーの棒状連結部が先端の球面体部を挿着して傾動自在に連結されたマグネット付き電磁吸着装置と、から構成されており、被ポップアップ体が格納位置にある場合に、電磁コイルに通電しない時には、マグネットの磁気吸着力によって可動子の脚部がマグネットによる吸着位置にあり、第２付勢手段の付勢力によって第１レバーが第１回動軸の回りに回動され、第１レバーのフック部が被ポップアップ体の突起状係合部に係合されて被ポップアップ体のポップアップを抑止し、電磁コイルに通電する時には、マグネットの磁気吸着力に抗する反対方向の磁気力を生じ、第１付勢手段の付勢力によって可動子の脚部がマグネットによる吸着位置から離脱され、第１レバーおよびその下端部と第２回動軸で連結されている第２レバーが第１回動軸の回りに回動されて、被ポップアップ体の突起状係合部に対する第１レバーのフック部の係合が解放されることにより、被ポップアップ体が格納位置からポップアップ位置までポップアップされる被ポップアップ体の駆動機構である。
【００１５】
このような被ポップアップ体の駆動機構は、格納位置にある被ポップアップ体に対し、必要な時にマグネット付き電磁吸着装置の電磁コイルに電流を流すことによって直ちにポップアップ位置へ跳ね上げることができ、被ポップアップ体を格納位置へ戻す時には駆動機構の初期化が確実に行われる。
【００１６】
請求項１に従属する請求項２の被ポップアップ体の駆動機構は、被ポップアップ体のポップアップ位置から格納位置への格納が人手によって行われる駆動機構である。
このような被ポップアップ体の駆動機構は、格納位置への復帰を人手で行うことにより復帰のための機構を必要とせず、駆動機構を単純化させコストを低下させる。
【００１７】
請求項１に従属する請求項３の被ポップアップ体の駆動機構は、第２レバーの傾斜平面部が第１レバーのフック部の下方となる位置に外側へ向かって下向きの傾斜面として形成されており、被ポップアップ体が格納位置となる時に、被ポップアップ体の突起状係合部が第２付勢手段によって付勢されている第１レバーのフック部と第２レバーの傾斜平面部との間の奥ほど狭くなるに間隙に挟持される駆動機構である。
このような被ポップアップ体の駆動機構は、被ポップアップ体の突起状係合部を付勢された第１レバーのフック部と第２レバーの傾斜平面部との間の奥になる程狭くなる間隙に被ポップアップ体の突起状係合部を緩みなく挟持する故に被ポップアップ体の浮き上がりを完全に抑止する。
【００１８】
請求項１に従属する請求項４の被ポップアップ体の駆動機構は、人手によって被ポップアップ体が格納される時に、被ポップアップ体の突起状係合部が第２レバーの傾斜平面部に当接し押し下げて第２レバーを第１回動軸の回りに回動させるが、それに伴い第２レバーの棒状連結部がマグネット付き電磁吸着装置の可動子の脚部を固定子内へ押し込みマグネットに吸着させることによって初期化が行われる駆動機構である。
このような被ポップアップ体の駆動機構は、人手で被ポップアップ体を格納位置へ戻すに際し、通常的には第１回動軸の挿通された長穴が移動するような動作が含まれず、自由度の小さい動作によって駆動機構の初期化が行われることから、誤動作による駆動機構の初期化不良を発生させない。
【００１９】
請求項１に従属する請求項５の被ポップアップ体の駆動機構は、第１レバーの第１挿入穴が円弧状長穴とされており、被ポップアップ体がポップアップの動作中またはポップアップ動作の終了後に、何らかの原因によって可動子の脚部がマグネットに吸着されて、第１レバーのフック部が既に被ポップアップ体の突起状係合部との係合位置となっている場合に、被ポップアップ体の格納に際し、被ポップアップ体の突起状係合部が第１レバーのフック部を押すことにより、第１レバーが、第１回動軸の挿通された円弧状長穴の範囲内で、第２レバー上の第２回動軸の回りに回動され、それに伴って回動される第２レバーの棒状連結部が可動子をマグネットによる吸着位置から離脱させることによって初期化が行われる駆動機構である。
このような被ポップアップ体の駆動機構は、被ポップアップ体を人為的にポップアップさせた場合にも、駆動機構を破損させない。
【００２０】
請求項１に従属する請求項６の被ポップアップ体の駆動機構は、被ポップアップ体が被写体を撮影する機器の閃光装置の発光部である駆動機構である。
このような被ポップアップ体の駆動機構は、必要に応じて閃光装置の発光部がポップアップ位置に跳ね上げられてフラッシュ撮影が可能となり、発光部を格納位置へ戻すに際しても、駆動機構の初期化が確実に行われポップアップ不能や格納不能のトラブルを招かない。
【００２１】
請求項６に従属する請求項７の被ポップアップ体の駆動機構は、計測された被写体の照度が所定値より小さい時に電磁吸着装置の電磁コイルへの通電が行われる駆動機構である。
このような被ポップアップ体の駆動機構は、被写体の照度が所定値より小さい場合には自動的に直ちに閃光装置の発光部がポップアップされ、シャッターチャンスを逃さないで撮影することができる。
【００２２】
請求項８の記録、再生装置は、請求項１から請求項７までの何れかに該当する被ポップアップ体の駆動機構を具備する記録、再生装置である。
このような記録、再生装置はカメラ等の撮影機器以外の録音、再生装置や受信機、発信機等においても、請求項１から請求項７までの何れかの駆動機構によってマイクロフォン、アンテナ、センサー、レンズ、またはミラーを必要に応じポップアップさせ、また格納することができる。
【００２３】
【発明の実施の形態】
本発明の被ポップアップ体の駆動機構は、被ポップアップ体を格納位置からポップアップ位置まで跳ね上げるポップアップ動作は駆動機構によって行い、ポップアップ位置から格納位置までの格納動作は手動で行うものであるが、勿論、駆動機構の機能を高めて格納動作を自動的に行うことを排除するものではない。
また、被ポップアップ体をポップアップさせる駆動機構には種々の方法によるものがあり得るが、被ポップアップ体をポップアップ位置へ跳ね上げた後に、次の格納に備えて駆動機構を初期化させるに際し、初期化が確実に行われるものとすること、被ポップアップ体が格納位置において遊びを持たないものにすることを目的とするものであるから、その目的にかなった構成の駆動機構となっている。
【００２４】
本発明の被ポップアップ体の駆動機構は、上述したように、被ポップアップ体を格納位置からポップアップ位置へ開動させる駆動源である第１付勢手段には例えば引張コイルバネが採用され、ポップアップ位置から格納位置への閉動と引張コイルバネの引き伸ばしは人手によるものとなっている。そのために、静止部と静止部上の格納位置にある被ポップアップ体の一端部とを回動軸によって連結すると共に、被ポップアップ体の下端部の一端側と静止部との間に引張コイルバネを張設して被ポップアップ体を回動軸の周りに回動するように付勢される。第１付勢手段としては引張コイルバネが好適に使用されるが、勿論、引張コイルバネ以外のものを採用してもよい。
【００２５】
上記の付勢手段と共に、被ポップアップ体の下端部の他端側の切欠きによって形成されている突起状係合部に対し、静止部に回動可能に取り付けた第１レバーのフック部を係合することにより、付勢されている被ポップアップ体を格納位置に保持するものとなっている。この時、第１レバーのフック部による係合を確実なものとするために、第２付勢手段としての例えば捩りコイルバネの一端を第１レバーに係止し、他端を静止部に係止して、両端を拡げるように付勢することにより、第１レバーのフック部を被ポップアップ体の突起状係合部側へ付勢することが行われる。
【００２６】
そして、被ポップアップ体を格納位置からポップアップ位置へポップアップさせるには、マグネットを備えた電磁吸着装置により第２レバーを介して第１レバーを回動させることにより被ポップアップ体の突起状係合部に対する第１レバーのフック部の係合が解放され、付勢されている被ポップアップ体が回動してポップアップされる。なお、上記のマグネット付き電磁吸着装置とは、例えば永久磁石を備えたソレノイドであり、ソレノイドの固定子に巻装された電磁コイルに電流が流れていない時には固定子内に挿入された可動子の脚部がマグネットに吸着され、電磁コイルに直流電流を流した時にはマグネットの吸着力に抗する磁界が形成されることにより、可動子の脚部がマグネットの吸着から離脱されるものである。従って被ポップアップ体を格納位置からポップアップさせる必要がある時に電磁コイルに向きの決まった直流電流が流される。
【００２７】
上記マグネット付き電磁吸着装置の可動子の往復は静止部に回動可能に取り付けられた第２レバーによって第１レバーの回動運動に変換される。すなわち、第２レバーには先端に球面体部を有する棒状連結部が設けられており、棒状連結部の球面体部が可動子の頭部に形成された係合穴の内壁面に接して挿着されており、棒状連結部は傾動自在な状態で可動子と連結されていることから、可動子の往復は第２レバーの回動に円滑に変換される。そして、回動を必要としているのは第１レバーであるから、第２レバーの回動をそのまま第１レバーの回動とするために、第２レバーに設けられた第２回動軸の回りに第１レバーを回動可能に取り付けると共に、両レバーを静止部に設けられた第１回動軸の回りに共に回動可能に取り付けたものとしている。勿論、第１レバーに棒状連結部を設けてもよくそのことよって可動子の往復を直接に第１レバーの回動運動に変換することは可能であるが、しかし後述するように、レバーに上記の運動の変換と、それ以外の機能を同時に持たせる場合には第２レバーを導入することの方が好ましい選択となる。
【００２８】
例えば、ポップアップ位置にある被ポップアップ体を格納位置に復帰させる場合、回動されて変化している第１レバーの位置も復帰させて初期の状態に戻さないと被ポップアップ体の突起状係合部に第１レバーのフック部が係合されない状態を生ずるので、第１レバーを含む駆動機構全体を初期化させることを要する。その初期化のために、下降される被ポップアップ体の突起状係合部によって第１レバーを押し下げ、ポップアップ時の係合を解放した方向とは反対の方向に第１レバーを回動させ、それによって第２レバーを回動させて可動子を押し戻し、その脚部をマグネットに吸着させることができれば好ましいが、押し下げるべき第１レバーのフック部はポップアップ時に既に回動されており、被ポップアップ体の突起状係合部が下降される時の回動軌跡上には存在しない。従って、その回動軌跡上で、フック部の係合時には障害とならない位置に、下降されるフック部が当接して押し下げることのできる部分、好ましくは平面部を設けることが必要になる。しかし目的がそれだけであれば、第１レバーのフック部の直下を避けた箇所に上記の平面部を設けることで目的を達成することができるので、第２レバーは敢えて必要としない。
【００２９】
更に考慮すべきことは、まだ駆動機構を初期化させていない時点で、何らかの原因によって可動子がマグネットに吸着されて駆動機構が既に初期化されてしまっている場合であり、その場合には殆ど下降した被ポップアップ体の突起状係合部の下方に通常の係合時には上方となる第１レバーのフック部が存在することになるので、被ポップアップ体を格納位置へ戻せないことになる。この問題を解決するには、突起状係合部に押されるフック部をその場で逃げるように回動させ、そのことによって可動子のマグネットによる吸着を離脱させることができれば、本来の状態が取り戻せることなる。そして、そのことは、静止部に設けられた第１回動軸が挿通される第１レバーの挿入穴を円弧状長穴にすると共に、第１レバーと一体的に第２レバーを設け、第１レバーを第２レバーに設けた第２回動軸の回りに回動させるように両レバーを組み合わせることによって可能になる。
【００３０】
すなわち、第１レバーには、被ポップアップ体の突起状係合部に係合させるフック部と、第２付勢手段である捩りコイルバネの一端の係止部と、第２レバーに設けられた第２回動軸に回動可能に係止される鉤部と、静止部の第１回動軸が挿通される円弧状長穴とが設けられ、第２レバーには静止部の第１回動軸が挿通される丸穴と、マグネット付き電磁吸着装置の可動子の連結穴に連結される先端が球面体部の棒状連結部と、第１レバーの鉤部が係止される第２回動軸と、被ポップアップ体の突起状係合部が当接して押し下げるための傾斜平面部とが設けられる。そして、第１レバーの円弧状長穴と第２レバーの丸穴には静止部の第１回動軸が共通して挿通されることから、第１レバーと第２レバーとは協同的に作動することになる。そして、上記の通常時における駆動機構の初期化は、格納するべく下降される被ポップアップ体の突起状係合部が第２レバーの傾斜平面部を押し下げることにより、第２レバーが第１回動軸の回りに回動され、第２レバーの棒状連結部がマグネット付き電磁吸着装置の可動子の脚部を固定子内に押し込みマグネットに吸着させることによって行われることになる。
【００３１】
更には、第２レバーの傾斜平面部の形成位置と、外側へ向かって下向きの傾斜角度を適切に設定することにより、被ポップアップ体の突起状係合部を押さえる第１レバーのフック部と第２レバーの傾斜平面部とによって奥ほど狭くなる間隙を形成し、格納位置となる被ポップアップ体の突起状係合部を上記の間隙で挟持すると、第１レバーは第２付勢手段である捩りコイルバネによって外側へ、すなわち突起状係合部の方へ付勢されているので、突起状係合部は上下に遊びなく保持され、格納位置にある被ポップアップ体に遊びを発生させない。
【００３２】
【実施例】
次に、本発明の被ポップアップ体の駆動機構を実施例によって図面を参照し具体的に説明する。
【００３３】
（実施例）
図１は本発明の被ポップアップ体の駆動機構が適用されたデジタル式スチルカメラ１の斜視図ある。すなわち、デジタル式スチルカメラ１はレンズ２とその上部にポップアップされる発光部１９を備えたフラッシュ・ケース１１が設けられており、フラッシュ・ケース１１は通常的には人手によって矢印Ａで示す方向に押し下げることによって格納される。そのほか同カメラ１の上面には機能選択ノブ３やシャッターボタン４などが取り付けられている。
【００３４】
「駆動機構の構成」
図２は、フラッシュの発光部１９を収容するフラッシュ・ケース１１が格納位置にある状態を、その駆動機構３０と共に示す部分断面図である。図２に示すように、フラッシュ・ケース１１はフラッシュ・ベース２１上において、フラッシュ・ベース２１の軸穴２３に挿通されたポップアップ軸１３の回りに回動可能に取り付けられている。そして、フラッシュ・ケース１１の係止ビス１８とフラッシュ・ベース２１の係止ビス２８との間に引張コイルバネ１７が張設されており、フラッシュ・ケース１１は常に矢印Ｂで示す時計回りの方向に回動するように付勢されている。そして、詳しくは後述するが、フラッシュ・ケース１１はその左側の底部の突起状係合部１２が第１レバー３１のフック部３２によって係合されており、第１レバー３１と協同的に作動する第２レバー４２を介して駆動機構３０の自己保持型電磁吸着装置であるマグネット付きソレノイド５１と連結されている。
【００３５】
図３は図２におけるマグネット付きソレノイド５１の平面図であり、図４は図２における第１レバー３１と第２レバー４１の外形を分離して示す図である。図２および図３を参照して、マグネット付きソレノイド５１は、マグネット保持部５２に永久磁石５３が保持されており、かつ、マグネット保持部５２に形成された２個の固定穴５４にはフラッシュ・ベース２１のボス２５が挿通されて固定されている。そして、マグネット保持部５２と磁気回路を構成するように固定子５５が設けられており、この固定子５５に穴５５ａ、５５ｂが形成され、固定子５５の周囲には電磁コイル５６が巻装されている。また、電磁コイル５６の巻き始めと巻き終わりはコイル端子５７ａ、５７ｂに接続されているほか、ほぼＵ字形状とした二股の可動子５８がその脚部５８ａ、５８ｂを固定子５５の穴５５ａ、５５ｂへ挿入されて底面に達している。更には、脚部５８ａ、５８ｆが一体となった根元部には連結穴５９が形成されており、後述するように、その内壁に接して第２レバー４１の棒状連結部４５の先端の球面体部４６が挿着される。
【００３６】
また図２および図４を参照して、第１レバー３１の円弧状長穴３３と第２レバー４１の丸穴４３には、フラッシュ・ベース２１に立設された第１回動軸２６が共に挿通されており、かつ第２レバー設けられた第２回動軸４２に第１レバー３１の鉤部３５が回動可能に係止されている。また、両端を拡げるように付勢されている捩りコイルバネ３７の一端が第１レバー３１の係止穴３４に係止され、他端はフラッシュ・ベース２１の切欠き部２７に係止されており、第１レバー３１は第２レバー４１の第２回動軸４２の回りに反時計回りに回動するように付勢されている。加えて、第２レバー４１の丸穴４３に挿通される第１回動軸２６から下方の異なる三方向に、傾斜平面部４７と、第１回動軸２６に平行な第２回動軸４２と、棒状連結部４５が形成されており、棒状連結部４５の先端側は球面体部４６となっている。
【００３７】
そして、図５は第１レバー３１、第２レバー４１とマグネット付きソレノイド５１との関係をフラッシュ・ケース１１と共に更に詳しく示す斜視図であり、図６は図５における第１レバー３１と第２レバー４１の分解斜視図である。図６を参照して、第２レバー４１は軸受部４４ａと軸受部４４ｂとが、第１レバー３１の挟持間隔４９をあけて、連結部４８および第２回動軸４２によって一体に形成されており、軸受部４４ａ、４４ｂの丸穴４３にはフラッシュ・ベース２１に立設された第１回動軸２６が挿通される。また、軸受部４４ａには下方へ棒状連結部４５が設けられ、その先端は後述するようにマグネット付きソレノイド５１の可動子５８と連結される球面体部４６となっている。そして、第１レバー３１は、第２レバー４１の挟持間隔４９内において、鉤部３５が第２レバー４１の第２回動軸４２に回動可能に係止され、第１回動軸２６が円弧状長穴３３を挿通されて、両者は連動するように連結される。
【００３８】
そして、図５は図６の第１レバー３１と第２レバー４１が連結されてマグネット付きソレノイド５１と組み合わされた状態を示すが、第２レバー４１の棒状連結部４５の先端の球面体部４６がマグネット付きソレノイド５１の可動子５８に形成された連結穴５９内に挿着される。そして、フラッシュ・ケース１１は分解斜視図的に高さ位置を異ならせて示しているが、フラッシュ・ケース１１の突起状係合部１２に第１レバー３１のフック部３２が係合され、突起状係合部１２がポップアップ位置から下降される時には、突起状係合部１２の底面部１４が第２レバー４１の傾斜平面部４７に当接して押し下げ第２レバー４１を第１回動軸２６の回りに回動させる。
【００３９】
そして、図２へ戻り、図３も参照して、マグネット付きソレノイド５１における２個の固定穴５４の外縁を結ぶ線分から連結穴５９の外縁までの距離Ｌはフラッシュ・ケース１１が格納位置にある状態において最も短く、第２レバー４１はフラッシュ・ケース１１の格納位置に対応する位置にある。また、第１レバー３１は、上述したように、捩りコイルばね３７によって、第２レバー４１の第２回動軸４２の回りに反時計回りに回動するように付勢されているので、図２において第１レバー３１の左上のフック部３２は第２レバー４１の傾斜平面部４７に当接しているフラッシュ・ケース１１の左側下端の突起状係合部１２を押さえており、このことによってフラッシュ・ケース１１が矢印Ｂで示す時計回りの方向へ僅かでも回動することを抑止している。
【００４０】
「フラッシュ・ケースのポップアップ位置への回動、開動動作（１）」
次に上記の駆動機構によるフラッシュ・ケース１１のポップアップ動作について説明する。図３のマグネット付きソレノイド５１においては、可動子５８の脚部５８ａ、５８ｂは、常には、永久磁石５３によって吸着されており、実線で示す位置にあるが、被写体の撮影に際し、被写体の照度が所定値より小さいことが検出されると、ソレノイド５１のコイル端子５７ａ、５７ｂ間に短時間の通電が行われ、永久磁石５３の磁力に反発する磁力が電磁コイル５６に発生し、図２において、永久磁石５３による可動子５８の吸着力は微小となり、可動子５８は自由に動き得るようになる。従って、引張コイルバネ１７によって付勢されているフラッシュ・ケース１１は矢印Ｂの方向へ回動し始め、フラッシュ・ケース１１の突起状係合部１２が第１レバー３１のフック部３２を持ち上げ、捩りコイルバネ３７の付勢に抗して、第１レバー３１を第１回動軸２６の回りに矢印Ｃで示す時計回りの方向へ回動させる。
【００４１】
そのことによって、第１レバー３１の鉤部３５と第２回動軸４２で連結されている第２レバー４１も第１回動軸２６の回りに同様に回動される。そのことによって、第１レバー３１のフック部３２によるフラッシュ・ケース１１の突起状係合部１２の押さえ、すなわち、回動の抑止が外され、図７に示すように、フラッシュ・ケース１１はコイルバネ１７の付勢力によって所定のポップアップ位置まで開動し、突起状係合部１２は軌跡Ｒに沿って上昇する。それに伴い、第２レバー４１の棒状連結部４５に連結されているマグネット付きソレノイド５１の可動子５８は図３において一点鎖線で示す位置まで引き出される。また、マグネット付きソレノイド５１の固定穴５４の外縁を結ぶ線分から連結穴５９の外縁までの距離Ｌ’は図２に示した距離Ｌよりも大になる。
【００４２】
「開動動作（２）」
上記はフラッシュ・ケース１１の通常的な開動動作であるが、本実施例の駆動機構３０は通常は行われない人手による開動動作にも耐え得る。図２を参照して、フラッシュ・ケース１１が人手によってポップアップ軸１３を中心として矢印Ｂで示す方向へ回動されると、フラッシュ・ケース１１の突起状係合部１２は第１レバー３１のフック部３２を持ち上げるが、その円弧状長穴３３に第１回動軸２６が挿通されていることから第１レバー３１は、矢印Ｃで示すように、第２レバー４１の第２回動軸４２の回りに時計回りに回動されて、第１レバー３１のフック部３２とフラッシュ・ケース１１の突起状係合部１２との係合が解放され、フラッシュ・ケース１１は引張コイルバネ１７による付勢力によって回動してポップアップ位置へ跳ね上がる。また、やや遅れて第２レバー４１も同様に回動されることから、棒状連結部４５を介してマグネット付きソレノイド５１の可動子５８は押し戻され永久磁石５３に吸着されて駆動機構３０の初期化が行われる。
【００４３】
「フラッシュ・ケースの格納位置への人手による復帰、閉動動作（１）」
ポップアップ位置にあるフラッシュ・ケース１１を格納位置へ復帰させる閉動は人手によって行われる。図８を参照して、フラッシュ・ケース１１を矢印Ｄで示す反時計回りの方向へ押し下げることにより、フラッシュ・ケース１１の突起状係合部１２が軌跡Ｒ’に沿って下降し、第２レバー４１の傾斜平面部４７と当接して押し下げる。従って第２レバー４１は、矢印Ｅで示すように、第１回動軸２６の回りに反時計回りに回動し始め、その回動は突起状係合部１２の下面部１４がフラッシュ・ベース２１の上面部２４に当接して回動が停止されるまで続く。そして、フラッシュ・ケース１１の閉動動作の終了時には、第２レバー４１の棒状連結部４５の球面体部４６によって連結されている可動子５８は固定子５５の方へ移動されて永久磁石５３に吸着される。そして、第１レバー３１は捩りコイルバネ３７によって第２レバー４１の第２回動軸４２の回りに反時計回りの方向に付勢されているので、閉動作の終了前の時点からフラッシュ・ケース１１の突起状係合部１２は付勢されている第１レバー３１のフック部３２と第２レバー４１の傾斜平面部４７との間の奥ほど狭くなる間隙に挟持されて押され続ける。そのことによって、フラッシュ・ケース１１のオーバーストロークによる遊びを生ずることなく図２に示す格納位置に格納される。
【００４４】
「閉動動作（２）」
フラッシュ・ケース１１が閉動の動作中または動作後に何らかの理由によってソレノイド５１の可動子５８が永久磁石５３の磁力に吸着された時、すなわち図９に示すように、第２レバー４１が閉動動作の終了時と同じ位置にある場合には、フラッシュ・ケース１１の突起状係合部１２は第１レバー３１のフック部３２の上面と当接するが、このフック部３２を押しのけてフラッシュ・ケース１１を閉動させることが可能である。すなわち、第１レバー３１は円弧状長穴３３を有しており、かつ第２レバー４１の第２回動軸４２の回りに回動が可能であるので、第１レバー３１は突起状係合部１２に押されて時計回りの方向に回動されることによって閉動動作が行われる。上記に代表されるように、第１レバー３１の円弧状長穴３３と第２回動軸４２の回りの回動とによって、第１レバー３１の如何なる状況に対しても閉動動作に支障を来たさないフェイルセーフな構造となっている。また、閉動動作の途中においてマグネット付きソレノイド５１の可動子５８が耐え切れずに永久磁石５３による吸着から離脱したとしても、その結果は通常の閉動動作と同一になるので全く問題はない。
【００４５】
以上、本発明の被ポップアップ体の駆動機構およびそれを具備する記録、再生装置を実施例によって説明したが、勿論、本発明はこれに限られることなく、本発明の技術的思想に基づいて種々の変形が可能である。
【００４６】
例えば本実施例においては、第１回動軸２６が挿通される第１レバー３１の挿通穴を円弧状長穴３３としたが、これは第１レバー３１が第２レバー４１上の第２回動軸４２の回りに回動されることから、第１回動軸２６が接触して回動が阻害されることのないように円弧状長穴３３としたものであり、回動が阻害されない限りにおいて円弧状以外の形状であってもよい。
また本実施例においては、第１付勢手段として引張コイルバネ１７を使用し、第２付勢手段としては捩りコイルバネ３７を使用したが、付勢手段はコイルバネ以外のものであってもよく、板バネ、トーションバネ等のバネを使用し得る。また付勢手段の材質として通常は金属類が使用されるが、プラスチック製のものであってもよい。
【００４７】
また本実施例においては、マグネット付きソレノイド５１を、その可動子５８の二股の脚部５８ｊが水平面となるような姿勢でフラッシュ・ベース２１に取り付けたが、垂直面となるような姿勢で取り付けてもよい。すなわち、永久磁石付きソレノイドの取り付け姿勢は限定されない。
また本実施例においては、永久磁石付きソレノイド５１がフラッシュ・ベース２１に取り付けられている場合を説明したが、フラッシュ・ベース以外の静止部に取り付けたものであってもよく、取り付け箇所は限定されない。
【００４８】
また本実施例においては、電磁コイル５６を巻装した固定子５５によるマグネット付きソレノイド５１を使用したが、電磁コイルを巻装したプラスチック製のコイルボビンを固定子とするものであってもよい。
また本実施例においては、被ポップアップ体を回動軸の回りに回動させてポップアップさせるものを説明したが、格納位置からポップアップ位置まで直線状にポップアップさせるものであってもよい。
【００４９】
また本実施例においては、本発明をデジタル式スチルカメラに適用した場合を説明したが、勿論、銀塩式スチルカメラについても同様に適用することができるほか、それら以外の撮影装置、例えば各種のビデオカメラ、赤外線カメラにも適用することができる。また、これら撮影装置以外に録音機や録音再生装置、受信機や送信機にも適用することができる。
【００５０】
【発明の効果】
本発明の被ポップアップ体の駆動機構およびそれを具備する記録、再生装置は以上に説明したような形態で実施され、次に述べるような効果を奏する。
【００５１】
請求項１の被ポップアップ体の駆動機構によれば、被ポップアップ体を所定の格納位置と所定のポップアップ位置との間で移動させる駆動機構において、第１レバー、第２レバー、第１付勢手段、第２付勢手段、およびマグネット付き電磁吸着装置が適切に組み合わされているので、格納位置にある被ポップアップ体に対し、必要な時にマグネット付き電磁吸着装置の電磁コイルに電流を流すことによって直ちにポップアップ位置へ跳ね上げることができ、被ポップアップ体を格納位置へ戻す時には駆動機構の初期化が確実に行われるので、被ポップアップ体に信頼性の高い動作性を与える。
【００５２】
請求項２の被ポップアップ体の駆動機構によれば、被ポップアップ体のポップアップ位置から格納位置への格納が人手によって行われるので、格納のための機構を要せず、駆動機構を単純化させコストを低下させる。
請求項３の被ポップアップ体の駆動機構によれば、被ポップアップ体が格納位置となる時に、被ポップアップ体の突起状係合部を付勢された第１レバーのフック部と第２レバーの傾斜平面部との間の奥ほど狭くなるに両面間に挟持するので、突起状係合部は緩みのない状態で保持され、僅かなポップアップも抑止されるので、格納された被ポップアップ体は格納位置からの僅かな浮き上がりも発生せず、またフック部や突起状係合部が経時的に摩損するようなことがあっても遊びを生じないので、このような駆動機構を備えた製品の品位および価値を高める。
【００５３】
請求項４の被ポップアップ体の駆動機構によれば、人手によって被ポップアップ体を格納する時に、被ポップアップ体の突起状係合部が第２レバーの傾斜平面部に当接して押し下げて回動軸の回りに回動させ、それによって可動子の脚部をマグネットに吸着させることにより駆動機構を初期化させるので、初期化のプロセスが簡易であり、初期化が確実に行われ初期化不良を発生させない。
請求項５の被ポップアップ体の駆動機構によれば、第１レバーの第１挿入穴が円弧状長穴とされており、何らかの原因によって可動子の脚部がマグネットに吸着されて、第１レバーのフック部が被ポップアップ体の突起状係合部との係合位置に移動している場合にも、円弧状長穴の存在によって、第２レバーが被ポップアップ体の突起状係合部によって押されて第２レバー上の回動軸の回りに回動され、それによって可動子の脚部をマグネットによる吸着から離脱させるので、駆動機構がどのような状況にあっても駆動機構はフェイルセーフに初期化され、被ポップアップ体が格納されないというようなトラブルを招かない。また、この円弧状長穴は第１レバーのフック部や第２レバーの傾斜平面部が摩損しても、捩りコイルバネによって付勢されている第１レバーは円弧状長穴の範囲内で回動されて、被ポップアップ体の突起状係合部を緩みなく保持し、格納位置の被ポップアップ体に遊びを生じさせない。
【００５４】
請求項６の被ポップアップ体の駆動機構によれば、被ポップアップ体が被写体を撮影する機器の閃光装置の発光部であり、必要に応じて発光部が直ちにポップアップされてフラッシュ撮影が可能になるほか、発光部を格納位置へ戻すに際し、駆動機構の初期化が確実に行われるので格納不良等のトラブルを招かない。
請求項７の被ポップアップ体の駆動機構によれば、被写体の照度が所定値より小さい時には電磁コイルへの通電が行われるので、直ちに発光部がポップアップされ、フラッシュ撮影が可能となりシャッターチャンスを逃さないで撮影することができる。
請求項８の記録、再生装置によれば、請求項１から請求項７までの何れかのポップアップ体の駆動機構を具備しているので、閃光装置の発光部だけでなく、記録、再生装置の種類によって、マイクロフォン、アンテナ、光センサー、レンズ、またはミラー等を必要に応じてポップアップさせて事態に対処することができる。
【図面の簡単な説明】
【図１】実施例のデジタル式スチルカメラの斜視図である。
【図２】同カメラのフラッシュ・ケースとその駆動機構を示す部分断面図である。
【図３】図２におけるマグネット付きソレノイドの平面図である。
【図４】図２における第１レバーと第２レバーを分離して外形を示す図である。
【図５】同カメラの駆動機構における第１レバーと第２レバーがマグネット付ソレノイドと組み合わされた状態の斜視図である。
【図６】図５における第１レバーと第２レバーとの分解斜図である。
【図７】図２の状態からフラッシュ・ケースがポップアップされた状態を示す図である。
【図８】図７の状態からフラッシュ・ケースが格納され始める状態を示す図である。
【図９】図８の状態からフラッシュ・ケースが格納された状態を示す図である。
【図１０】通常でない状態でのフラッシュ・ケースの格納を示す図である。
【図１１】従来例のデジタル式スチルカメラの正面図である。
【図１２】同カメラのフラッシュ・ケースとその駆動機構を示す断面図である。
【図１３】同駆動機構の拡大図であり、Ａはフラッシュ・ケースが僅かオーバーストロークして押し下げられた状態、ＢはＡに続いて格納された状態を示す。
【符号の説明】
１…デジタル式スチルカメラ、１１…フラッシュ・ケース、１２…突起状係合部、１３…ポップアップ軸、１７…引張コイルバネ、２１…フラッシュ・ベース、２６…第１回動軸、３０…駆動機構、３１…第１レバー、３２…フック部、３３…円弧状長穴、３５…鉤部、３７…捩りコイルバネ、４１…第２レバー、４２…第２回動軸、４５…棒状連結部、４６…球面体部、４７…傾斜平面部、５１…マグネット付きソレノイド、５８…可動子。
【図１】
0003997398.tif 000002
【図２】
0003997398.tif 000003
【図３】
0003997398.tif 000004
【図４】
0003997398.tif 000005
【図５】
0003997398.tif 000006
【図６】
0003997398.tif 000007
【図７】
0003997398.tif 000008
【図８】
0003997398.tif 000009
【図９】
0003997398.tif 000010
【図１０】
0003997398.tif 000011
【図１１】
0003997398.tif 000012
【図１２】
0003997398.tif 000013
【図１３】
0003997398.tif 000014